(57)【要約】【課題】音声が経年変化しても利用者の手間をかけることなく登録音声情報を更新し且つセキュリティの向上を図る。【解決手段】音声情報認証装置１０によれば、利用者の日常的な音声情報に基づいて参照用音声情報を収集し、該参照用音声情報に基づいて検出した声質の変化に対応するように登録音声情報を補正し、該補正済登録音声情報と入力された音声情報が一致しているか否かを判定するようにしたことから、利用者は登録音声情報を一度登録するだけで、経年変化に応じた再登録を行う必要がなくなる。また、登録音声情報の更新も自動的に行われることから、利用者に手間をかけることを防止できる。さらに、登録音声情報の再登録を排除することで、パスワード等が他人に知られることを防止することができる。【選択図】図１
2008058452.tif 000002
【特許請求の範囲】
【請求項１】
利用者の音声認証に用いられる登録音声情報を記憶する登録音声情報記憶手段と、音声情報を入力する入力手段と、前記入力手段から入力した音声情報と前記登録音声情報記憶手段の記憶している登録音声情報が一致しているか否かを判定する判定手段と、を有する音声情報認証装置において、
前記入力手段から入力した前記利用者の日常的な音声情報に基づいて参照用音声情報を収集する参照用音声情報収集手段と、
前記参照用音声情報収集手段が収集した参照用音声情報に基づいて声質の変化を検出する声質変化検出手段と、
前記声質変化検出手段が検出した声質の変化に対応するように前記登録音声情報記憶手段の記憶している登録音声情報を補正する登録音声情報補正手段と、
を有し、そして、
前記判定手段は、前記登録音声情報補正手段が補正した補正済登録音声情報と前記音声情報が一致しているか否かの判定を行う手段であることを特徴とする音声情報認証装置。
【請求項２】
前記参照用音声情報収集手段は、前記入力手段から入力した音声情報と前記登録音声情報記憶手段が記憶している登録音声情報との一致度に対応した区分に分けて前記参照用音声情報を収集する手段であり、
前記声質変化検出手段は、前記参照用音声情報収集手段が収集した参照用音声情報のうち一致度の高い参照用音声情報に基づいて声質の変化を検出する手段であることを特徴とする請求項１に記載の音声情報認証装置。
【請求項３】
前記参照用音声情報収集手段は、前記入力手段から入力した音声情報のうち前記登録音声情報記憶手段が記憶している登録音声情報との一致度が予め定められた所定値以上の前記音声情報に基づいて前記参照用音声情報を収集する手段であることを特徴とする請求項１又は２に記載の音声情報認証装置。
【請求項４】
入力手段から入力した音声情報と登録音声情報記憶手段に予め記憶している利用者の登録音声情報が一致しているか否かを判定した判定結果に基づいて前記音声情報の認証を行う音声認証方法において、  
前記入力手段から入力した前記利用者の日常的な音声情報に基づいて参照用音声情報を収集する参照用音声情報収集過程と、
前記収集した参照用音声情報に基づいて声質の変化を検出する声質変化検出過程と、
前記検出した声質の変化に対応するように前記登録音声情報記憶手段の記憶している登録音声情報を補正する登録音声情報補正過程と、
前記補正した補正済登録音声情報と前記音声情報が一致しているか否かの判定を行う判定過程と、
を有することを特徴とする音声情報認証方法。
【発明の詳細な説明】
【技術分野】
【０００１】
本発明は、入力手段から入力した音声情報と登録音声情報記憶手段に予め記憶している登録音声情報が一致しているか否かを判定した判定結果に基づいて前記音声情報の認証を行う音声情報認証装置、音声情報認証方法等の技術分野に関する。
【背景技術】
【０００２】
パーソナル・コンピュータ（パソコン）、携帯電話機等の電気機器は、従来から本人確認方法として暗証番号、キーワード等の予め定められた認証情報を入力し、該認証情報が予め登録している登録情報と一致する場合に、本人であると判断するようにしたものが一般に知られている。そして、特許文献１に示すように、認証情報を音声情報に置き換えたものも知られている。
【特許文献１】特開２００１−２６５３８５公報
【発明の開示】
【発明が解決しようとする課題】
【０００３】
しかしながら、音声は経年変化するために登録音声データを更新する必要があり、特許文献１の話者認識装置は、基準となる登録音声データと似ている度合いを示す照合スコアを求めて、そのスコアが低かったり、前回との差が大きい場合に更新の必要ありと判定し、話者からの更新の同意があったときに、登録音声データを今回入力された音声データに更新するため、利用者はそのときに「更新する／しない」を決定しなければならず、手間がかかるという問題があった。また、更新する際には登録音声データを再度入力する必要があり、他人に聞かれる可能性があるため、セキュリティを低下させる可能性があった。本発明が解決しようとする課題は、上記した問題が一例として挙げられる。
【０００４】
よって本発明は、上述した問題点に鑑み、音声が経年変化しても利用者の手間をかけることなく登録音声情報を更新し且つセキュリティの向上を図ることができる音声情報認証装置及び音声情報認証方法を提供することを課題としている。
【課題を解決するための手段】
【０００５】
上記課題を解決するため本発明によりなされた請求項１記載の音声情報認証装置は、利用者の音声認証に用いられる登録音声情報を記憶する登録音声情報記憶手段と、音声情報を入力する入力手段と、前記入力手段から入力した音声情報と前記登録音声情報記憶手段の記憶している登録音声情報が一致しているか否かを判定する判定手段と、を有する音声情報認証装置において、前記入力手段から入力した前記利用者の日常的な音声情報に基づいて参照用音声情報を収集する参照用音声情報収集手段と、前記参照用音声情報収集手段が収集した参照用音声情報に基づいて声質の変化を検出する声質変化検出手段と、前記声質変化検出手段が検出した声質の変化に対応するように前記登録音声情報記憶手段の記憶している登録音声情報を補正する登録音声情報補正手段と、を有し、そして、前記判定手段は、前記登録音声情報補正手段が補正した補正済登録音声情報と前記音声情報が一致しているか否かの判定を行う手段であることを特徴とする。
【０００６】
上記課題を解決するため本発明によりなされた請求項５記載の音声情報認証方法は、入力手段から入力した音声情報と登録音声情報記憶手段に予め記憶している利用者の登録音声情報が一致しているか否かを判定した判定結果に基づいて前記音声情報の認証を行う音声認証方法において、前記入力手段から入力した前記利用者に関する音声情報に基づいて参照用音声情報を収集する参照用音声情報収集過程と、前記収集した参照用音声情報に基づいて声質の変化を検出する声質変化検出過程と、前記検出した声質の変化に対応するように前記登録音声情報記憶手段の記憶している登録音声情報を補正する登録音声情報補正過程と、前記補正した補正済登録音声情報と前記音声情報が一致しているか否かの判定を行う判定過程と、を有することを特徴とする。
【発明を実施するための最良の形態】
【０００７】
以下、本発明に係る音声情報認証装置及び音声情報認証方法の一最良の形態を、図１の図面を参照して以下に説明する。なお、図１は本発明に係る音声情報認証装置の基本構成の一例を示す構成図である。
【０００８】
図１において、音声情報認証装置１０は、音声認証用の登録音声情報を記憶する登録音声情報記憶手段１５と、音声情報を入力する入力手段１４と、前記入力手段１４から入力した音声情報と前記登録音声情報記憶手段１５の記憶している登録音声情報が一致しているか否かを判定する判定手段１１ａと、を有する音声情報認証装置１０において、前記入力手段１４から入力した音声情報に基づいて参照用音声情報を収集する参照用音声情報収集手段１１ｂと、前記参照用音声情報収集手段１１ｂが収集した参照用音声情報に基づいて声質の変化を検出する声質変化検出手段１１ｃと、前記声質変化検出手段１１ｃが検出した声質の変化に対応するように前記登録音声情報記憶手段１５の記憶している登録音声情報を補正する登録音声情報補正手段１１ｄと、を有し、そして、前記判定手段１１ａは、前記登録音声情報補正手段１１ｄが補正した補正済登録音声情報と前記音声情報が一致しているか否かの判定を行う手段となっている。
【０００９】
この音声情報認証装置１０によれば、入力手段１４から入力した利用者に関する音声情報に基づいて参照用音声情報が参照用音声情報収集手段１１ｂによって収集されると、それらの参照用音声情報に基づいて利用者の声質の変化を声質変化検出手段１１ｃによって検出する。そして、その検出した声質の変化に対応するように、登録音声情報記憶手段１５の記憶している登録音声情報が登録音声情報補正手段１１ｄによって補正される。その後、その補正済登録音声情報と入力された音声情報が一致しているか否かが判定手段１１ａによって判定されるので、利用者の声質の経年変化に対応することができる。
【００１０】
また、音声情報認証方法は、入力手段１４から入力した音声情報と登録音声情報記憶手段１５に予め記憶している利用者の登録音声情報が一致しているか否かを判定した判定結果に基づいて前記音声情報の認証を行う音声認証方法において、前記入力手段１４から入力した前記利用者の日常的な音声情報に基づいて参照用音声情報を収集する参照用音声情報収集過程と、前記収集した参照用音声情報に基づいて声質の変化を検出する声質変化検出過程と、前記検出した声質の変化に対応するように前記登録音声情報記憶手段１５の記憶している登録音声情報を補正する登録音声情報補正過程と、前記補正した補正済登録音声情報と前記音声情報が一致しているか否かの判定を行う判定過程と、を有している。
【００１１】
この音声情報認証方法によれば、入力手段１４から入力した利用者に関する音声情報に基づいて参照用音声情報を常日頃から収集し、その参照用音声情報に基づいて利用者に関する声質の変化の検出を行う。そして、検出した声質の変化に対応するように、登録音声情報記憶手段１５の記憶している登録音声情報を補正し、その後は補正済登録音声情報と入力された音声情報が一致しているか否かを判定して音声情報の認証を行うようにしたので、利用者の声質の経年変化に対応することができる。
【００１２】
以上説明した音声情報認証装置１０及び音声情報認証方法によれば、利用者の日常的な音声情報に基づいて参照用音声情報を収集し、該参照用音声情報に基づいて検出した声質の変化に対応するように登録音声情報を補正し、該補正済登録音声情報と入力された音声情報が一致しているか否かを判定するようにしたことから、利用者は登録音声情報を一度登録するだけで、経年変化に応じた再登録を行う必要がなくなる。また、登録音声情報の更新も自動的に行われることから、利用者に手間をかけることを防止できる。さらに、登録音声情報の再登録を排除することで、パスワード等が他人に知られることを防止することができる。よって、音声が経年変化しても利用者の手間をかけることなく登録音声情報を更新し且つセキュリティの向上を図ることができる。
【００１３】
また、音声情報認証装置１０は、前記参照用音声情報収集手段１１ｂは、前記入力手段１４から入力した音声情報と前記登録音声情報記憶手段１５が記憶している登録音声情報との一致度に対応した区分に分けて前記参照用音声情報を収集する手段であり、前記声質変化検出手段１１ｃは、前記参照用音声情報収集手段１１ｂが収集した参照用音声情報のうち一致度の高い参照用音声情報に基づいて声質の変化を検出する手段になっている。
【００１４】
この音声情報認証装置１０によれば、入力手段１４から入力した音声情報と登録音声情報との一致度に対応した区分に分けて参照用音声情報を収集し、一致度の高い参照用音声情報の予め定められた所定量を超える増加を声質の変化と検出するので、声質の経年変化の検出精度を向上させることができるため、利用者の体調不良、声のかれ等による影響を受けることなく、登録音声情報を適切に補正することができる。
【００１５】
また、音声情報認証装置１０は、前記参照用音声情報収集手段１１ｂは、前記参照用音声情報収集手段１１ｂは、前記入力手段１４から入力した音声情報のうち前記登録音声情報記憶手段１５が記憶している登録音声情報との一致度が予め定められた所定値以上の前記音声情報に基づいて前記参照用音声情報を収集する手段になっている。
【００１６】
この音声情報認証装置１０によれば、入力手段１４から入力した音声情報のうち、登録音声情報との一致度が予め定められた所定値以上の音声情報に基づいて参照用音声情報を収集するようにしたことから、利用者が使用する日常的な音声情報に基づいて参照用音声情報を収集しても、声質が明らかにおかしい音声情報は排除されるため、声質の変化を正確に検出することができる。
【実施例】
【００１７】
次に、上述した音声情報認証装置及び音声情報認証方法を、音声認識機能を有するカーナビゲーション装置に適用する場合の実施例を、図２乃至図４の図面を参照して以下に説明する。なお、上述した図１に示す基本構成のところで説明したものと同一あるいは相当する部分には同一符号を付して説明する。
【００１８】
図２において、カーナビゲーション装置１０は、周知であるように車両に搭載されており、上述した音声情報認証装置に相当している。カーナビゲーション装置１０は、制御部１１と、表示部１２と、操作部１３と、入力手段としての音声入力部１４と、記憶部１５と、を有している。そして、制御部１１には、表示部１２、操作部１３、音声入力部１４、記憶部１５等が接続されている。なお、本実施例では、音声情報認証装置をカーナビゲーション装置１０で実現していることから、制御部１１には、図示しない速度センサ、ＧＰＳ（Global Positioning System）受信機、光学ドライブ等が接続されており、各種信号が入力される。
【００１９】
制御部１１は、カーナビゲーション装置１０全体の制御を司り、周知である中央演算処理装置（ＣＰＵ）等が用いられる。なお、ＣＰＵには、該ＣＰＵのためのプログラム等を格納した読み出し専用のメモリであるＲＯＭ、各種のデータを格納するとともにＣＰＵの処理作業に必要なエリアを有する読み出し書き込み自在のメモリであるＲＡＭ等が接続されている。
【００２０】
表示部１２は、例えば、周知のＬＣＤ（Liquid Crystal Display）等の各種表示装置が用いられる。この表示部１２は、制御部１１の制御によって、例えば、地図画像や車両の現在地点、これに重畳された検索経路（ルート）、この検索経路に関連する経路案内、経由地点等が表示される。
【００２１】
操作部１３は、検索条件やルート設定等の指令入力用の各種キースイッチ等の入力装置を有する。そして、操作部１３は、入力装置における入力に応じた入力信号を制御部１１に入力する。
【００２２】
音声入力部１４は、利用者が発話した音声に応じた音波を音声信号（電気信号）に変換するマイクロフォンを有している。音声入力部１４は、変換した音声信号を制御部１１に出力する。そして、制御部１１は、入力された音声信号を音声情報として取り込んで、記憶部１５に記憶する。
【００２３】
記憶部１５は、登録音声情報記憶手段に相当し、例えばハードディスク装置、大容量メモリ等が用いられており、図３に示すように、音声情報認証プログラムＦ１、音声情報データベースＦ２等の各種情報を記憶している。
【００２４】
音声情報認証プログラムＦ１は、制御部１１に実行されることで、該制御部１１（コンピュータ）を上述した請求項中の判定手段、参照用音声情報収集手段、声質変化検出手段、登録音声情報補正手段、及び、認証情報入力手段等の各種手段として機能させるためのプログラムを有している。
【００２５】
音声情報データベースＦ２は、登録音声情報Ｆ２１と、通常時参照用音声情報Ｆ２２と、異常時参照用音声情報Ｆ２３と、を有している。そして、登録音声情報Ｆ２１は、利用者の音声認証に用いられる情報であり、パスワードの内容を示すパスワードデータとその発した声の特徴を示す音声データとを有している。例えば、登録音声情報Ｆ２１として、「質問：犬の名前は？」と「答え：ラッキー」というようなパスワードデータと音声データを有して構成される。
【００２６】
また、音声データの一例としては、ケプストラムによるデータを用いることができる。なお、ケプストラムとは、音声波形のパワースペクトルを対数に変換し、さらに逆フーリエ変換した結果を指している。そして、登録音声情報Ｆ２１は、経年変化に対応するように補正されることで、補正済登録音声情報となる。
【００２７】
通常時参照用音声情報Ｆ２２は、カーナビゲーション装置１０の音声認識機能に応じて音声入力部１４から取り込んだ、例えば「自宅へ帰る」、「トラックアップ」、「ここへ行く」などの日常的な音声情報のうち、登録音声情報Ｆ２１との一致度が予め設定された通常使用範囲に相当する音声情報が時系列的に複数格納される。そして、通常時参照用音声情報Ｆ２２は、音声に対応する発話内容データとその声の特徴を示す上述した音声データを有している。このように通常時参照用音声情報Ｆ２２は、音声データとして利用者の声の変化の傾向（ピッチの変化、声帯の変化により声が低くなった）等から声質の変化を検出することができる、つまり、日常的な音声情報を学習して声質の変化を検出することができる構成となっている。
【００２８】
異常時参照用音声情報Ｆ２３は、利用者の体調不良の可能性等を考慮するための情報であり、上述した音声認識機能に応じて音声入力部１４から取り込んだ日常的な音声情報のうち、登録音声情報Ｆ２１との一致度が予め定められた異常使用範囲に相当する音声情報が時系列的に複数格納される。異常時参照用音声情報Ｆ２３の構成については、通常時参照用音声情報Ｆ２２とほぼ同一の構成となっている。
【００２９】
なお、本実施例では、上述した通常使用範囲を８０％以上、異常使用範囲８０〜４０％のそれぞれの一致度と設定している。そして、一致度が４０％よりも低い音声情報については捨てている。つまり、音声認識機能としては問題がない音声情報であっても、声質の変化を検出する上では好ましくないため、参考にしないことで声質変化の検出精度を向上させているが、精度的に問題がない場合はその音声情報を用いるようにしても差し支えない。
【００３０】
次に、図２に示す制御部１１が実行する音声情報認証処理の一例を、図４のフローチャートを参照して以下に説明する。
【００３１】
制御部１１は、音声情報認証プログラムＦ１を実行すると、ステップＳ１１において、音声情報データベースＦ２に登録音声情報が存在するか否かに基づいて、音声パスワードが登録されているか否かを判定する。登録されていると判定した場合（Ｓ１１でＹ）、ステップＳ１５に進む。一方、音声パスワードが登録されていないと判定した場合（Ｓ１１でＮ）、ステップＳ１２に進む。
【００３２】
ステップＳ１２において、登録画面を表示するための登録画面情報を表示部１２に出力することで、表示部１２に登録画面を表示させ、ステップＳ１３において、音声入力部１４からの音声信号の入力の有無に基づいて、音声パスワードが発せられたか否かが判定される。発せられていないと判定した場合（Ｓ１３でＮ）、この判定処理を繰り返すことで、音声パスワードが発せられるのを待つ。一方、音声パスワードが発せられたと判定した場合（Ｓ１３でＹ）、ステップＳ１４において、その入力された音声信号に基づいてパスワードデータ等を有する登録音声情報Ｆ２１が生成されて音声情報データベースＦ２に格納され、その後ステップＳ１５に進む。
【００３３】
ステップＳ１５において、カーナビゲーション装置１０の通常時における不特定多数の人からの音声入力に応じて動作する通常使用を開始し、ステップＳ１６において、記憶部１５に記憶されている音声認識使用フラグのフラグ状態に基づいて、音声認識を使用するか否かを判定する。音声認識を使用しないと判定した場合（Ｓ１６でＮ）、ステップＳ２２に進む。一方、音声認識を使用すると判定した場合（Ｓ１６でＹ）、ステップＳ１７に進む。
【００３４】
ステップＳ１７において、音声入力部１４から入力された音声情報と登録音声情報Ｆ２１の音声データとの声質の一致度合いが８０％以上であるか否かを判定する。８０％以上であると判定した場合（Ｓ１７でＹ）、ステップＳ１８に進む。
【００３５】
ステップＳ１８（参照用音声情報収集手段）において、その音声情報を通常時参照用音声情報Ｆ２２として音声情報データベースＦ２に保存（格納）することで記憶部１５に記憶し、ステップＳ１９（声質変化検出手段、登録音声情報補正手段）において、収集した通常時参照用音声情報Ｆ２２と登録音声情報Ｆ２１の比較結果に基づいて声質（声紋、ピッチ、ケプストラムデータなど）の変化を検出し、その検出した変化後の声質となるように登録音声情報Ｆ２１の音声データ等を補正し、その後ステップＳ２２に進む。
【００３６】
また、ステップＳ１７で声質の一致度が８０％以上ではないと判定した場合（Ｓ１７でＮ）、ステップＳ２０において、声質の一致度合いが４０％以上〜８０％未満であるか否かを判定する。４０％以上〜８０％未満ではないと判定した場合（Ｓ２０でＮ）、ステップＳ２２に進む。一方、４０％以上〜８０％未満であると判定した場合（Ｓ２０でＹ）、このように声質の一致度が低いため、参照用音声情報の保存を行わずに、ステップＳ２１に進む。
【００３７】
ステップＳ２１において、その音声情報を異常時参照用音声情報Ｆ２３として音声情報データベースＦ２に保存（格納）することで記憶部１５に記憶し、その後ステップＳ２２に進む。なお、詳細な説明は省略するが、異常時参照用音声情報Ｆ２３はその個数が所定個数以上等の格納率が増した場合、通常時参照用音声情報Ｆ２２との情報の入れ替えを行い、声質の変化により正確に対応する構成となっている。
【００３８】
ステップＳ２２において、終了するか否かを判定する。終了しないと判定した場合（Ｓ２２でＮ）、ステップＳ１５に戻り、一連の処理を繰り返す。一方、終了すると判定した場合（Ｓ２２でＹ）、処理を終了する。
【００３９】
次に、パスワードの解除、車の盗難等に応じて、図２に示す制御部１１が実行するパスワード解除処理の一例を、図５のフローチャートを参照して以下に説明する。
【００４０】
制御部１１は、音声情報認証プログラムＦ１を実行に応じて利用者からパスワード解除が要求されると、ステップＳ３１において、音声によるパスワードの入力を促すパスワード画面を表示するためのパスワード画面情報を表示部１２に出力することで、表示部１２にパスワード画面を表示させ、ステップＳ３２に進む。
【００４１】
ステップＳ３２において、音声入力部１４から音声情報が入力されたか否かを判定する。入力されていないと判定した場合（Ｓ３２でＮ）、ステップＳ４０に進む。一方、入力されたと判定した場合（Ｓ３２でＹ）、ステップＳ３３に進む。
【００４２】
ステップＳ３３（判定手段）において、その音声情報に基づいて、発せられた言葉が登録音声情報Ｆ２１として登録されたパスワードデータが示す言葉と同じであるか否かを判定する。同じではないと判定した場合（Ｓ３３でＮ）、ステップＳ４０に進む。一方、同じであると判定した場合（Ｓ３３でＹ）、ステップＳ３４に進む。
【００４３】
ステップＳ３４（判定手段）において、その音声情報に基づいて、発せられた声質が登録音声情報Ｆ２１として登録された音声データが示す音質と同等であるか否かを判定する。同等であると判定した場合（Ｓ３４でＹ）、ステップＳ３８に進む。一方、同等ではないと判定した場合（Ｓ３４でＮ）、ステップＳ３５に進む。
【００４４】
ステップＳ３５（判定手段）において、その発せられた声質が異常時参照用音声情報Ｆ２３が示す声質と同等であるか否かを判定する。同等であると判定した場合（Ｓ３５でＹ）、ステップＳ３６において、手入力による別のセキュリティ処理を実行し、その後ステップＳ３７に進む。なお、セキュリティ処理は、図示しない入力装置等によって利用者を識別するためのデータを入力させ、予め登録した登録データと等しいときに解除を行うものである。
【００４５】
ステップＳ３７において、セキュリティ処理によって解除できたか否かを判定する。解除できたと判定した場合（Ｓ３７でＹ）、ステップＳ３８において、カーナビゲーション装置１０におけるロックの解除を要求し、処理を終了する。
【００４６】
一方、ステップＳ３７で解除できなかったと判定した場合（Ｓ３７でＮ）、ステップＳ３９において、本人ではないことを警報する警報画面を表示するための警報画面情報を表示部１２に出力することで、表示部１２に警報画面を表示させ、その後ステップＳ３１に戻り、一連の処理を繰り返す。
【００４７】
次に、上述したカーナビゲーション装置１０における音声情報認証装置としての動作（作用）の一例を、図６〜７の図面を参照して以下に説明する。
【００４８】
利用者は、カーナビゲーション装置１０を購入して車両に搭載すると、初期設定としてパスワードを音声によってカーナビゲーション装置１０に登録する。カーナビゲーション装置１０は、そのパスワードを登録音声情報Ｆ２１として記憶部１５に記憶する。その後、カーナビゲーション装置１０は、利用者からパスワードに対応する音声情報が入力されたとき、その音声情報の認証を行い、認証された時にパスワードを解除する。
【００４９】
カーナビゲーション装置１０は、通常の音声認識機能を使用するために利用者から音声入力部１４を介して音声情報が入力されると、その音声情報と登録音声情報等との一致度が所定の一致度である場合、その一致度に対応する通常参照用音声情報Ｆ２２又は異常時参照用音声情報Ｆ２３に区分して収集し、記憶部１５に時系列的に記憶する。そして、通常参照用音声情報Ｆ２２に基づいて利用者の声質の変化を検出し、該声質の変化に対応するように登録音声情報Ｆ２１を補正することになる。
【００５０】
例えば、図６に示すように、「自宅に帰る」という参照用音声情報の登録当時における音声データがグラフＧ１に示す周波数特性となっており、５年後がグラフＧ２に示す周波数特性となっている。その結果、周波数帯Ｒの値が経年変化によって低下して声質が変化したとする。この場合、その周波数帯Ｒに対応する登録音声情報Ｆ２１の音声データを下げるように補正することになる。その結果、図７のグラフＧ３に示すように、登録時のケプストラムデータＤ１から現在のケプストラムデータＤ２に年を経る毎に徐徐に低くなるように補正されることになる。よって、図７に示すように、パスワード解除時の実際の入力データＤは、登録時のケプストラムデータＤ１と比較すると認証されないが、現在の補正済のケプストラムデータＤ２と比較すると近いために認証されるので、経年変化が生じても誤認証を防止することができる。
【００５１】
以上説明したカーナビゲーション装置１０によれば、利用者の日常的な音声情報に基づいて通常時参照用音声情報Ｆ２２又は異常時参照用音声情報Ｆ２３を収集し、それらの参照用音声情報に基づいて検出した声質の変化に対応するように登録音声情報Ｆ２１を補正し、該補正済登録音声情報Ｆ２１と入力された音声情報が一致しているか否かを判定するようにしたことから、利用者は登録音声情報Ｆ２１を一度登録するだけで、経年変化に応じた再登録を行う必要がなくなる。また、登録音声情報Ｆ２１の更新も自動的に行われることから、利用者に手間をかけることを防止できる。さらに、登録音声情報Ｆ２１の再登録作業を排除することで、パスワード等が他人に知られることを防止することができる。よって、音声が経年変化しても利用者の手間をかけることなく登録音声情報Ｆ２１を更新し且つセキュリティの向上を図ることができる。
【００５２】
また、音声入力部１４から入力した音声情報と登録音声情報Ｆ２１との一致度に対応した区分に分けて通常時参照用音声情報Ｆ２２又は異常時参照用音声情報Ｆ２３を収集し、一致度の高い通常時参照用音声情報Ｆ２２の予め定められた所定量を超える増加を声質の変化と検出するので、声質の経年変化の検出精度を向上させることができるため、登録音声情報Ｆ２１を適切に補正することができる。
【００５３】
さらに、音声入力部１４から入力した音声情報のうち、登録音声情報Ｆ２１との一致度が予め定められた所定値以上の音声情報に基づいて通常時参照用音声情報Ｆ２２又は異常時参照用音声情報Ｆ２３を収集するようにしたことから、利用者が使用する日常的な音声情報に基づいて参照用音声情報Ｆ２１を収集しても、声質が明らかにおかしい音声情報は排除されるため、声質の変化を正確に検出することができる。
【００５４】
また、異常時参照用音声情報Ｆ２３を収集することで、利用者が風邪をひく等で一時的に声質が変化したときに対応する異常時参照用音声情報Ｆ２３を収集できるため、経年変化とそれ以外での声質の変化との違いを判別することが可能となり、声質の変化をより正確に検出することができる。さらに、異常時参照用音声情報Ｆ２３に基づいて、利用者の体調不良等を検出することが可能となるため、利用者の体調に気を使った案内（例えば、頻繁に休憩を促す、「体調は大丈夫ですか」と問いかけるなど）を行うことができる。
【００５５】
さらに、上述した実施例では、通常時参照用音声情報Ｆ２２を収集すると、その声質の変化を検出して登録音声情報Ｆ２１を補正する場合について説明したが、異常時参照用音声情報Ｆ２３を所定個数収集したときに声質が変化したと見なして登録音声情報Ｆ２１を補正するなど種々異なる実施形態とすることができる。
【００５６】
また、上述した本実施例では、音声情報認証装置をカーナビゲーション装置１０で実現する場合について説明したが、本発明はこれに限定するものではなく、カーオーディオ装置、パーソナル・コンピュータ（パソコン）、携帯電話機等の音声認識を使用した各種機器で実現することもできる。
【００５７】
その他、本発明の実施の際の具体的な構成および手順は、本発明の目的を達成できる範囲で他の構成などに適宜変更できる。
【図面の簡単な説明】
【００５８】
【図１】本発明に係る音声情報認証装置の基本構成の一例を示す構成図である。
【図２】本発明の音声情報認証装置を適用したカーナビゲーション装置の概略構成の一例を示す構成図である。
【図３】図２中に記憶部に記憶される音声情報認証プログラムと音声情報データベースの一例を示す図である。
【図４】図２中の制御部が実行する音声情報認証処理の処理概要の一例を示すフローチャートである。
【図５】図２中の制御部が実行するパスワード解除処理の処理概要の一例を示すフローチャートである。
【図６】音声の経年変化の一例を示すグラフである。
【図７】登録音声情報の補正例を説明するためのグラフである。
【符号の説明】
【００５９】
１０    音声情報認証装置（カーナビゲーション装置）
１１ａ    判定手段（制御部）
１１ｂ    参照用音声情報収集手段（制御部）
１１ｃ    声質変化検出手段（制御部）
１１ｄ    登録音声情報補正手段（制御部）
１２    表示部
１３    操作部
１４    入力手段（音声入力部）
１５    登録音声情報記憶手段（記憶部）
【図１】
2008058452.tif 000003
【図２】
2008058452.tif 000004
【図３】
2008058452.tif 000005
【図４】
2008058452.tif 000006
【図５】
2008058452.tif 000007
【図６】
2008058452.tif 000008
【図７】
2008058452.tif 000009